(57)【要約】【課題】携帯端末等との通信により、発光や音声出力等の内容が制御可能な出力装置、通信システム、出力制御方法、プログラム、及びそれらを用いたアクセサリ、インテリア用品並びに服飾品を提供する。【解決手段】情報端末と通信自在な出力装置３において、発光部３３と、発光部３３の発光を制御する制御部３１と、情報端末と通信する通信部３２とを備え、情報端末において設定された発光条件に基づき、発光部３３により発光を行い、情報端末では楽曲が再生されると楽曲におけるＢＰＭ値が分析され分析結果に基づいて発光パターンが生成され発光パターンに基づいて発光条件が設定される。【選択図】図３
2017228859.tif 000002
【特許請求の範囲】
【請求項１】
出力装置と情報端末とが通信自在に接続された通信システムにおいて、
前記出力装置は、
発光部と、
前記発光部の発光を制御する制御部と、
前記情報端末と通信する第１通信部と、を備え、
前記情報端末は、
前記出力装置と通信する第２通信部と、
前記出力装置の前記発光部による発光条件を設定する発光条件設定部と、
前記出力装置の前記発光部による発光を指示する発光指示部と、を備え、
前記発光条件設定部により設定された発光条件に基づき、前記出力装置の発光部により発光を行うことを特徴とする
通信システム。
【請求項２】
前記発光条件は、発光色及び明るさの少なくともいずれかを含む
請求項１に記載の通信システム。
【請求項３】
前記情報端末は、
楽曲を再生する楽曲再生制御部と、
前記楽曲におけるＢＰＭ値を分析するＢＰＭ値分析部と、
前記ＢＰＭ値分析部による分析結果に基づいて発光パターンを生成する発光パターン生成部と、を更に備え、
前記発光条件指示部は、前記発光パターンと前記発光条件とに基づいて発光指示をなす
請求項１に記載の通信システム。
【請求項４】
前記出力装置は、
動きを検出する動き検出部を更に備え、
前記第１通信部は、前記動き検出部による検出結果を前記情報端末に送信し、
前記情報端末では、前記発光条件設定部が前記検出結果に基づいて発光条件を設定する
請求項１に記載の通信システム。
【請求項５】
前記情報端末では、
前記発光指示部が、少なくとも電子メールの受信、ＳＮＳの掲載記事の更新のタイミングで前記出力装置に対して発光指示をなす
請求項１に記載の通信システム。
【請求項６】
前記情報端末は、
位置情報を取得し管理する位置情報管理部を更に備え、
前記位置情報管理部は、前記出力装置との通信コネクションの解除がなされたタイミングで位置情報を取得し管理する
請求項１に記載の通信システム。
【請求項７】
情報端末と通信自在な出力装置において、
発光部と、
前記発光部の発光を制御する制御部と、
前記情報端末と通信する通信部と、を備え、
前記情報端末において、楽曲が再生されると前記楽曲におけるＢＰＭ値が分析され、分析結果に基づいて発光パターンが生成され、前記発光パターンと前記発光条件とに基づき前記発光部により発光を行うことを特徴とする
出力装置。
【請求項８】
請求項７に記載の出力装置を用いたアクセサリ。
【請求項９】
請求項７に記載の出力装置を用いたインテリア用品。
【請求項１０】
請求項７に記載の出力装置を用いた服飾品。
【請求項１１】
請求項７に記載の出力装置を用いたＤＩＹ用品。
【請求項１２】
請求項７に記載の出力装置を用いたハンドメイド製品。
【請求項１３】
情報端末による出力装置の出力制御方法において、
前記情報端末が、前記出力装置の発光部による発光条件を設定し、前記出力装置の前記発光部による発光を指示するステップと、
前記出力装置が、前記情報端末により設定された発光条件に基づき、前記発光部により発光を行うステップと、を有し、
前記情報端末は、楽曲が再生されると、前記楽曲におけるＢＰＭ値を分析し、分析結果に基づいて発光パターンを生成し、前記発光パターンと前記発光条件とに基づいて発光指示をなすことを特徴とする
出力制御方法。
【請求項１４】
出力装置と通信自在な情報端末により実行されるプログラムにおいて、
前記情報端末が、
前記出力装置の前記発光部による発光条件を設定する発光条件設定部と、
前記出力装置の前記発光部による発光を指示する発光指示部と、として機能し、
前記発光条件設定部により設定された発光条件に基づき、前記出力装置の発光部により発光を行うように制御し、楽曲が再生されると、前記楽曲におけるＢＰＭ値を分析し、分析結果に基づいて発光パターンを生成し、前記発光パターンと前記発光条件とに基づいて発光指示をなすことを特徴とする
プログラム。
【発明の詳細な説明】
【技術分野】
【０００１】
本発明は、発光や音声出力等を行う出力装置等に係り、特に遠隔制御により発光や音声出力等を制御可能な出力装置、通信システム、出力制御方法、プログラム、並びにそれらを用いたアクセサリ、インテリア用品、服飾品、ＤＩＹ製品、及びハンドメイド製品に関する。
【背景技術】
【０００２】
従来、スマートフォン等の携帯端末は、多くの人に所有されるようになり、その多機能性という特質から、多種多様な用途で日常的に活用されている。
【０００３】
例えば、好みの楽曲を再生したり、電子メール等の送受信を行ったり、ＳＮＳの記事を更新したり、各種の外部デバイスとの間で例えばＢｌｕｅｔｏｏｔｈ(登録商標)等により遠隔通信を行ったりすることは、その一つの用途、機能である。
【０００４】
このような携帯端末の用途の一つに着目し、例えば、特許文献１では、ＩＣタグの携行品識別情報を予め携帯端末装置に登録して、携帯していない場合は、携帯端末装置に携行品を携帯していない旨を知らせることで、携行品の持ち忘れを防止するための通信システムが開示されている。
【先行技術文献】
【特許文献】
【０００５】
【特許文献１】特願２００６−８５１９２号公報
【発明の概要】
【発明が解決しようとする課題】
【０００６】
しかしながら、特許文献１に開示されたものでは、携行品ごとにＩＣタグを装着し、携帯端末装置側でも事前登録する必要があることから、事前登録等においてユーザに煩雑な手間をとらせていた。
【０００７】
一方、携帯端末とＢｌｕｅｔｏｏｔｈ(登録商標)等により遠隔通信が可能なデバイスは種々存在するものの、携帯端末と同様にユーザが携帯するバッグ等に装飾的、演出的な効果と、機能的な利便性を提供するアクセサリは存在していない。例えば、携帯端末側で発光や音声出力を制御でき、携行品を置き忘れた場所を確認可能にし、或はユーザの動きに合わせて演出を変更できたりするアクセサリは、従来、存在しない。
【０００８】
本発明は、このような課題に鑑みてなされたものであり、携帯端末との通信により発光や音声出力等が制御可能な出力装置、通信システム、出力制御方法、プログラム、並びにそれらを用いたアクセサリ、インテリア用品、服飾品、ＤＩＹ製品、及びハンドメイド製品を提供することを目的とする。
【課題を解決するための手段】
【０００９】
上記課題を解決するため、本発明の第１の態様に係る通信システムは、出力装置と情報端末とが通信自在に接続された通信システムにおいて、前記出力装置は、発光部と、前記発光部の発光を制御する制御部と、前記情報端末と通信する第１通信部と、を備え、前記情報端末は、前記出力装置と通信する第２通信部と、前記出力装置の前記発光部による発光条件を設定する発光条件設定部と、前記出力装置の前記発光部による発光を指示する発光指示部と、を備え、前記発光条件設定部により設定された発光条件に基づき、前記出力装置の発光部により発光を行うことを特徴とする。
【００１０】
本発明の第２の態様に係る通信システムは、第１の態様において、前記発光条件は、発光色及び明るさの少なくともいずれかを含む。
【００１１】
本発明の第３の態様に係る通信システムは、第１の態様において、前記情報端末は、楽曲を再生する楽曲再生制御部と、前記楽曲におけるＢＰＭ値を分析するＢＰＭ値分析部と、前記ＢＰＭ値分析部による分析結果に基づいて発光パターンを生成する発光パターン生成部と、を更に備え、前記発光条件指示部は、前記発光パターンと前記発光条件とに基づいて発光指示をなす。
【００１２】
本発明の第４の態様に係る通信システムは、第１の態様において、前記出力装置は、動きを検出する動き検出部を更に備え、前記第１通信部は、前記動き検出部による検出結果を前記情報端末に送信し、前記情報端末では、前記発光条件設定部が前記検出結果に基づいて発光条件を設定する。
【００１３】
本発明の第５の態様に係る通信システムは、第１の態様において、前記情報端末では、前記発光指示部が、少なくとも電子メールの受信、ＳＮＳの掲載記事の更新のタイミングで前記出力装置に対して発光指示をなす。
【００１４】
本発明の第６の態様に係る通信システムは、第１の態様において、前記情報端末は、位置情報を取得し管理する位置情報管理部を更に備え、前記位置情報管理部は、前記出力装置との通信コネクションの解除がなされたタイミングで位置情報を取得し管理する。
【００１５】
本発明の第７の態様に係る出力装置は、情報端末と通信自在な出力装置において、発光部と、前記発光部の発光を制御する制御部と、前記情報端末と通信する通信部と、を備え、前記情報端末において、楽曲が再生され前記楽曲におけるＢＰＭ値が分析され分析結果に基づいて発光パターンが生成されると、前記発光パターンと前記発光条件とに基づいて前記発光部により発光を行うことを特徴とする。
【００１６】
本発明の第８の態様に係るアクセサリは、第７の態様に係る出力装置を用いたアクセサリである。本発明の第９の態様に係るインテリア用品は、第７の態様に係る出力装置を用いたインテリア用品である。本発明の第１０の態様に係る服飾品は、第７の態様に係る出力装置を用いた服飾品である。本発明の第１１の態様に係る服飾品は、第７の態様に係る出力装置を用いたＤＩＹ製品である。そして、本発明の第１２の態様に係る服飾品は、第７の態様に係る出力装置を用いたハンドメイド製品である。
【００１７】
本発明の第１３の態様に係る出力制御方法は、情報端末による出力装置の出力制御方法において、前記情報端末が、前記出力装置の発光部による発光条件を設定し前記出力装置の前記発光部による発光を指示するステップと、前記出力装置が、前記情報端末により設定された発光条件に基づき前記発光部により発光を行うステップと、を有し、前記情報端末で楽曲が再生されると、前記楽曲におけるＢＰＭ値を分析し、分析結果に基づいて発光パターンを生成し、前記発光パターンと前記発光条件とに基づいて発光指示をなすことを特徴とする。
【００１８】
本発明の第１４の態様に係るプログラムは、出力装置と通信自在な情報端末により実行されるプログラムにおいて、前記情報端末が、前記出力装置の前記発光部による発光条件を設定する発光条件設定部と、前記出力装置の前記発光部による発光を指示する発光指示部と、として機能し、前記発光条件設定部により設定された発光条件に基づき、前記出力装置の発光部により発光を行うように制御し、楽曲が再生されると、前記楽曲におけるＢＰＭ値を分析し、分析結果に基づいて発光パターンを生成し、前記発光パターンと前記発光条件とに基づいて発光指示をなすことを特徴とする。
【発明の効果】
【００１９】
本発明によれば、携帯端末等との通信により、発光や音声出力等の内容を制御可能な出力装置、通信システム、出力制御方法、プログラム、並びにそれらを用いたアクセサリ、インテリア用品、服飾品、ＤＩＹ製品、及びハンドメイド製品を提供することができる。
【００２０】
更に、本発明によれば、携帯端末等との通信により、携行品を置き忘れた場所を地図上等で確認可能にする出力装置、通信システム、出力制御方法、プログラム、及びそれらを用いたアクセサリ、インテリア用品並びに服飾品を提供することができる。
【００２１】
そして、本発明によれば、携帯端末等との通信により、ユーザの動きに合わせて発光や音声出力等により演出が変更可能な出力装置、通信システム、出力制御方法、プログラム、並びにそれらを用いたアクセサリ、インテリア用品、服飾品、ＤＩＹ製品、及びハンドメイド製品を提供することができる。
【図面の簡単な説明】
【００２２】
【図１】本発明の一実施形態に係る通信システムの構成図である。
【図２】同システムのサーバ装置の構成図である。
【図３】同システムの携帯端末の構成図である。
【図４】同システムの出力装置の構成図である。
【図５】同システムの発光制御を示すフローチャートである。
【図６】発光制御に係る設定画面である。
【図７】発光制御に係る設定画面である。
【図８】同システムの楽曲に合わせた発光制御を示すフローチャートである。
【図９】楽曲に合わせた発光制御に係る設定画面である。
【図１０】同システムの動作に合わせた発光制御を示すフローチャートである。
【図１１】動作に合わせた発光制御に係る設定画面である。
【図１２】動作に合わせた発光制御に係る設定画面である。
【図１３】動作に合わせた発光制御に係る設定画面である。
【図１４】同システムの通知に連動した発光制御を示すフローチャートである。
【図１５】通知に連動した発光制御に係る設定画面である。
【図１６】同システムによる置き忘れ防止に係る処理を示すフローチャートである。
【図１７】置き忘れ場所を示す画面である。
【図１８】複数の出力装置の同時制御に係る設定画面である。
【図１９】本システムの出力装置をアクセサリとして使用する場合の構成例である。
【発明を実施するための形態】
【００２３】
以下、図面を参照しつつ本発明の一実施形態について説明する。
【００２４】
図１には本発明の一実施形態に係る通信システムの構成を示し説明する。
【００２５】
同図に示されるように、本実施形態に係る通信システムは、サーバ装置１と、ユーザの情報端末２と、出力装置３とが、インターネット等のネットワーク４を介して通信自在に接続され、構成されている。ユーザの情報端末２としては、例えば、携帯電話機、スマートフォン、タブレット端末、及びノート型パーソナルコンピュータ（以下、ＰＣと略記する）等、各種のものを採用することができる。
【００２６】
このような構成において、情報端末２は、サーバ装置１にアクセスすることで、楽曲データ等をダウンロードすることができる。また、情報端末２において、発光色や発光の明るさ等の発光条件が設定されると、Ｂｌｕｅｔｏｏｔｈ(登録商標)等の通信規格に基づいて無線接続された出力装置３に、当該発光条件に基づく発光指示がなされ、ＬＥＤ（Light Emitting Diode）等の発光部は発光する。また、情報端末２からの指示に基づいて、出力装置３にて、所定の音声が出力される。
【００２７】
また、情報端末２において、楽曲が再生されている場合には、その楽曲のＢＰＭ（Beats Per Minute）値が分析され、該ＢＰＭ値に基づいて発光パターンが生成され、発光パターン及び発光条件設定部により設定された発光条件に基づいて発光指示がなされ、出力装置３において該発光パターンに基づく発光がなされる。
【００２８】
情報端末２において、着信や電子メール等の送受信を行ったり、ＳＮＳの記事更新やメッセージの送受信を行ったりすると、そのタイミングで、発光指示又は音声出力指示がなされ、出力装置３にて発光又は音声出力がなされる。さらに、情報端末２と出力装置３との間の無線通信コネクションが解除されると、そのタイミングで情報端末２の位置情報が取得され記憶されることで、情報端末２と出力装置３とが所定の距離以上離れたこと、つまり出力装置３が接続されたバック等の携行品を置き忘れた場所を確認することが可能となる。
【００２９】
出力装置３は、室内装飾品をはじめ、キーホルダー等のアクセサリ、家具等のインテリア用品、及び服飾品等、多種多様な形態で実現することが可能である。また、ぬいぐるみ等に内蔵させることも可能である。
【００３０】
図２にはサーバ装置の構成を示し説明する。
【００３１】
同図に示されるように、サーバ装置は、ＣＰＵ（Central Processing Unit）等の制御部１１を備えている。制御部１１は、システムバスを介して、通信部１２、及び記憶部１３と接続されている。通信部１２は、ネットワーク４を介して出力装置３と通信を行う通信インタフェースである。記憶部１３は、ＲＯＭやＲＡＭ等のメモリやＨＤＤ（Hard Disc Drive）等からなり、制御部１１で実行されるプログラム１６を記憶している。更に、楽曲データベース（以下、ＤＢと略記）１４やユーザＤＢ１５を持つ。楽曲ＤＢには楽曲データが格納されており、ユーザＤＢ１５にはユーザの属性情報が格納されている。
【００３２】
制御部１１は、記憶部１３のプログラム１６を読み出し、実行することで、主制御部１１ａ、認証部１１ｂ、画面生成部１１ｃ、ユーザ管理部１１ｄ、及び楽曲管理部１１ｅとして機能する。
【００３３】
このような構成において、認証部１１ｂは、ユーザの情報端末２の認証を行う。画面生成部１１ｃは、ユーザのリクエストに基づいてＨＴＭＬデータ等による画面データを生成する。ユーザ管理部１１ｄは、ユーザにより登録された属性情報等を管理し更新する。楽曲管理部１１ｅは、多数の楽曲データを管理する。そして、主制御部１１ａは、上記のほか統括的な制御を司ることになる。サーバ装置１は、多数の楽曲データを情報端末２によりダウンロード可能とするＷｅｂページを開設している。
【００３４】
図３には携帯端末の構成を示し説明する。
【００３５】
同図に示されるように、情報端末２は、ＣＰＵ等の制御部２１を備えている。制御部２１はシステムバスを介して通信部２２、タッチパネル２５、音声出力部２４、集音部２７、及び記憶部２８と接続されている。通信部２２は、ネットワーク４を介して出力装置３等と通信する通信インタフェースである。タッチパネル２５は、操作部２３と表示部２４とからなる。音声出力部２６は、スピーカ等からなる。集音部２７は、マイクロフォン等からなる。記憶部２８は、ＲＡＭ、ＲＯＭ等のメモリと、ＨＤＤ等からなり、制御部２１で実行されるプログラム２９を記憶している。
【００３６】
制御部２１は、プログラム２９を読み出し実行することで、主制御部２１ａ、楽曲再生制御部２１ｂ、ＢＰＭ値分析部２１ｃ、発光パターン生成部２１ｄ、発光条件設定部２１ｅ、発光指示部２１ｆ、位置情報管理部２１ｇ、表示制御部２１ｈとして機能する。
【００３７】
このような構成において、楽曲再生制御部２１ｂは、音声出力部２６からの楽曲の再生に伴う音声出力を制御する。ＢＰＭ値分析部２１ｃは、楽曲に係る音拍を分析する。発光パターン生成部２１ｄは、ＢＰＭ値分析部２１ｃによる音拍の分析結果に基づいて発光パターンを生成する。発光条件設定部２１ｅは、出力装置３における発光の発光色、明るさ等の設定を受け付け発光条件の記録、更新を行う。発光指示部２１ｆは、出力装置３に対して発光指示を行う。楽曲が再生されていないときには、発光条件設定部２１ｅにより設定された発光条件に基づく発光を指示し、楽曲が再生されているときには、発光条件設定部２１ｅにより設定された発光条件及び発光パターン生成部により生成された発光パターンに基づく発光を指示することになる。位置情報管理部２１ｇは、情報端末２の位置情報を取得し管理する。表示制御部２１ｈは、タッチパネル２５の表示部２４での表示を制御する。以上の他、主制御部２１ａは、例えば、電子メールの受信、ＳＮＳの掲載記事の更新のタイミングを検出し、発光指示部２１ｆより発光指示をなすように制御したり、出力装置との通信コネクションの解除がなされたタイミングで位置情報管理部２１ｇにより位置情報を取得し管理するよう制御したりするなど、統括的な制御を司る。
【００３８】
図４には出力装置の構成を示し説明する。
【００３９】
同図に示されるように、出力装置３は、ＣＰＵ等の制御部３１を備えている。制御部３１は、通信部３２、発光部３３、音声出力部３４、加速度センサ３５、入力部３６、充電制御部３７、記憶部３９、及び集音部４０と接続されている。制御部３１には、充電池３８より電源供給がなされる。通信部３２は、無線通信により情報端末２と通信する通信インタフェースである。発光部３３は、ＬＥＤアレイ等からなる発光デバイスである。音声出力部３４はスピーカ等である。加速度センサ３５は、出力装置３の動きを検出するためのセンサである。入力部３６は、外部より音声データ等の入力を受ける入力インタフェースである。充電制御部３７は、充電地３８の充電を制御するものである。そして、記憶部３９は、ＲＡＭ、ＲＯＭ等のメモリからなり、各種データを記憶するものである。集音部４０はマクロフォン等で構成されており、外部音声を集音するものである。
【００４０】
このような構成において、制御部３１は、より具体的には、発光制御部３１ａ、色相調整部３１ｂ、音声出力制御部３１ｃ、動き検出部３１ｄ、及び主制御部３１ｅとして機能する。発光制御部３１ａは、情報端末２から送信された発光パターン及び発光条件に基づいて発光部３３による発光を制御する。より具体的には、発光制御部３１ａは、発光パターンに基づいて発光部３３の発光のオン／オフの繰り返しタイミングを制御し、発光条件に基づいて発光部３３の発光の発光色、明るさ等を制御する。このとき、色相調整部３１ｂが発光部３３による発光の色相を調整する。音声出力部３１ｃは、音声出力部３４による音声出力を制御する。動き検出部３１ｄは、加速度センサ３５の出力信号に基づいて出力装置３の動きを検出する。この動きに関する情報は、主制御部３１ｅの制御の下、通信部３２を介して情報端末２にリアルタイムで送られる。そして、主制御部３１ｅは、以上のほか、統括的な制御を司る。
【００４１】
以下、図５のフローチャートを参照して、通信システムの発光制御を説明する。
【００４２】
情報端末２においてプログラム２９が起動され（Ｓ１）、これと並行して出力装置３側で電源が投入されると（Ｓ２）、情報端末２は、例えばＢｌｕｅｔｏｏｔｈ((登録商標)接続のために、無線通信圏内にある全ての出力装置３を探索し（Ｓ４）、ペアリングにより無線通信コネクションが確立される（Ｓ４）。尚、不図示であるが、このとき、予め複数の出力装置３との間の同時通信に係る設定がなされている場合には、複数の出力装置３との間で無線通信コネクションが確立されることになる。
【００４３】
そして、発光条件の設定が選択されると（Ｓ５をＹｅｓ）、操作部２３の操作に基づいて発光条件設定部２１ｅにより発光条件の設定がなされる（Ｓ６）。ここでは、発光色、各発光色に係る再生順、再生速度等が設定される。尚、複数の出力装置３との同時接続、同時制御を実施する場合には、各出力装置３毎に設定を変えることも、同期させることも可能であることは勿論である。
【００４４】
発光条件の設定が選択されなかったときは（Ｓ５をＮｏ）、デフォルト又は保存されている最近の発光条件が用いられる。こうして情報端末２の発光指示部２１ｆにより出力装置３に対して発光指示がなされると（Ｓ７）、出力装置３では発光制御部３１ａが、発光条件に基づいて発光部３３の発光を制御する（Ｓ８）。情報端末２では、設定された発光条件を保存、更新等し（Ｓ９）、こうして一連の処理を終了する。
【００４５】
ここで、図６及び図７には発光条件の設定画面を示し説明する。
【００４６】
図６に示されるように、設定画面１００では、上方にタブ１００ａが設けられており、ここで発光条件をマニュアルで設定する「ｐａｌｅｔ」が選択されている。画面の略中央には、ブライトネス機能、つまり発光色の選択領域１００ｂがあり、円弧上に各色が階層立てられて選択可能に表示されており、球形のアイコンを円弧上、所望とする色の位置まで移動させることで発光色が選択される。円弧上の休憩のアイコンの位置に対応する発光色は中央の円形領域１００ｃにて表示され確認可能となる。この領域１００ｂ、１００ｃの操作により選択された発光色は、再生ボタン１００ｄの横に並ぶ再生順表示領域１００ｅに反映される。発光色を変更している段階は、チェックマークで示唆される。領域１００ｇでは、再生速度を選択することができる。この例では、２秒、１．５秒、０．５秒、０秒の中から選択可能となっている。再生ボタン１００ｄを押したときも、発光指示部２１ｆから発光指示がなされ、出力装置３で発光条件に基づく発光がなされる。
【００４７】
図７に示されるように、設定画面１０１では、上方にタブ１０１ａで「Ｍｏｏｄ」が選択されている。この場合、領域１０１ｂに各種ムードに対応した選択用アイコンが表示され、例えば、雨、桜、セラピー等、多数のムードに中から所望とするものを選択することができる。所望とするアイコンをタップすると、当該ムードに対応する発光条件に基づく発光指示がなされ、出力装置３側で発光がなされる。プラスボタン１０１ｃを選択するとムードを更に追加設定できる。また、ボタン１０１ｄを選択すると、ムードを編集及び削除することができる。このほか、リセットボタン１０１ｅを選択すると、初期状態に戻るようになっている。
【００４８】
次に、図８のフローチャートを参照して、通信システムの楽曲に合わせた発光制御を説明する。
【００４９】
情報端末２においてプログラム２９が起動され（Ｓ１１）、これと並行して出力装置３側で電源が投入されると（Ｓ１２）、情報端末２は、例えばＢｌｕｅｔｏｏｔｈ(登録商標)接続のために、無線通信圏内にある全ての出力装置３を探索し（Ｓ１３）、ペアリングにより無線通信コネクションが確立される（Ｓ１４）。尚、不図示であるが、このとき、予め複数の出力装置３との間の同時通信に係る設定がなされている場合には、複数の出力装置３との間で無線通信コネクションが確立されることになる。
【００５０】
そして、発光条件の設定が選択されると（Ｓ１５をＹｅｓ）、操作部２３の操作に基づいて発光条件設定部２１ｅにより発光条件の設定がなされる（Ｓ１６）。ここでは、発光色や各発光色に係る再生順、再生速度等が設定されている。発光条件の設定が選択されなかったときは（Ｓ１５をＮｏ）、デフォルト又は保存されている最近の発光条件が用いられるようにしてもよい。尚、複数の出力装置３との同時接続、同時制御を実施する場合には、各出力装置３毎に設定を変えることも、同期させることも可能である。
【００５１】
続いて、楽曲再生制御部２１ｂの制御の下、楽曲が再生され（Ｓ１７）、ＢＰＭ値分析部２１ｃによりＢＰＭ値が分析され、発光パターン生成部２１ｄにより発光パターンが生成される（Ｓ１８）。発光パターンとは、楽曲の音拍に合わせて連続して発光するタイミングを意味する。こうして情報端末２の発光指示部２１ｆにより出力装置３に対して発光指示がなされると（Ｓ１９）、出力装置３では発光制御部３１ａが、発光パターン及び発光条件に基づいて発光部３３の発光を制御する（Ｓ２０）。情報端末２では、設定された発光条件を保存、更新等し（Ｓ２１）、こうして一連の処理を終了する。
【００５２】
ここで、図９には楽曲再生画面を示し説明する。
【００５３】
楽曲再生画面１０２では、ムードの色を読み込むボタン１０２ａが設けられており、該ボタン１０２ａを選択することでムードの色が読み込まれる。そして、楽曲再生用の開始ボタン１０２ｂ、楽曲名表示領域１０２ｃ、楽曲提供サイトでの楽曲選択用ボタン１０２ｄ、組み込み音源の選択ボタン１０２ｅが設けられている。楽曲提供サイトでの楽曲選択用ボタン１０２ｄが選択されると、楽曲提供サイトと連動したアプリケーションが起動され楽曲が選択可能となる。組み込み音源の選択ボタン１０２ｅが選択された場合には、組み込み音源が選択可能となる。
【００５４】
次に、図１０のフローチャートを参照して、通信システムの動作に合わせた発光制御を説明する。
【００５５】
情報端末２においてプログラム２９が起動され（Ｓ３１）、これと並行して出力装置３側で電源が投入されると（Ｓ３２）、情報端末２は、例えばＢｌｕｅｔｏｏｔｈ(登録商標)接続のために、無線通信圏内にある全ての出力装置３を探索し（Ｓ３３）、ペアリングにより無線通信コネクションが確立される（Ｓ３４）。尚、不図示であるが、このとき、予め複数の出力装置３との間の同時通信に係る設定がなされている場合には、複数の出力装置３との間で無線通信コネクションが確立されることになる。
【００５６】
そして、発光条件の設定が選択されると（Ｓ３５をＹｅｓ）、操作部２３の操作に基づいて発光条件設定部２１ｅにより発光条件の設定がなされる（Ｓ３６）。ここでは、発光色や各発光色に係る再生順、再生速度等が設定されている。発光条件の設定が選択されなかったときは（Ｓ３５をＮｏ）、デフォルト又は保存されている最近の発光条件が用いられてよい。尚、複数の出力装置３との同時接続、同時制御を実施する場合には、各出力装置３毎に設定を変えることも、同期させることも可能である。
【００５７】
続いて、出力装置３において動き検出部３１ｄが加速度センサ３５からの出力信号に基づいて動きを検出すると、主制御部３１ｅの制御の下、情報端末２に動きに関するデータが送信される（Ｓ３７）。情報端末２では、主制御部２１ａが動きを分析し（Ｓ３８）、発光条件を設定する（Ｓ３９）。
【００５８】
こうして情報端末２の発光指示部２１ｆにより出力装置３に対して発光指示がなされると（Ｓ４０）、出力装置３では発光制御部３１ａが、発光パターン及び発光条件に基づいて発光部３３の発光を制御する（Ｓ４１）。情報端末２では、設定された発光条件を保存、更新等し（Ｓ４２）、こうして一連の処理を終了する。
【００５９】
ここで、図１１には動作設定画面を示し、図１２には出力音声選択画面を示し、図１３には音声登録画面を示し、説明する。
【００６０】
動作設定画面１０３では、通信ボタン１０３ａが設けられており、領域１０３ｂに示されている各色の下から順次再生され、同時に情報端末２側で音声出力がなされる。ボタン１０３ｃを選択すると、オン／オフの切り替えがなされ、音声出力の可否を選択することができる。ボタン１０３ｄを選択すると、図１２に示されるような出力音声選択画面１０４に遷移し、領域１０４ａに並んだ多数のアイコンの中から所望とするものを選択することで、音声出力する音声を選択できるようになっている。画面１０４のボタン１０４ｂが選択されると、図１３の音声登録画面１０５に遷移し、録音開始ボタン１０５ａを選択することで、録音の開始、終了を指示でき、再生ボタン１０５ｂを選択することで、録音された音声を確認することもできるようになっている。このように録音された音声を動作に連動して出力される音声として追加登録することが可能である。
【００６１】
次に、図１４のフローチャートを参照して、通信システムの通知に連動した発光制御を説明する。
【００６２】
情報端末２においてプログラム２９が起動され（Ｓ５１）、これと並行して出力装置３側で電源が投入されると（Ｓ５２）、情報端末２は、例えばＢｌｕｅｔｏｏｔｈ(登録商標)接続のために、無線通信圏内にある全ての出力装置３を探索し（Ｓ５３）、ペアリングにより無線通信コネクションが確立される（Ｓ５４）。尚、不図示であるが、このとき、予め複数の出力装置３との間の同時通信に係る設定がなされている場合には、複数の出力装置３との間で無線通信コネクションが確立されることになる。
【００６３】
続いて、情報端末２において、着信、電子メールの送受信、ＳＮＳの時期の更新及びメッセージの送受信等に係る通知がなされたときは（Ｓ５５をＹｅｓ）、主制御部２１ａが通知の種別に応じて発光条件を決定する（Ｓ５７）。発光指示部２１ｆにより出力装置３に対して発光指示がなされると（Ｓ５８）、出力装置３では発光制御部３１ａが、発光条件に基づいて発光部３３の発光を制御する（Ｓ５９）。こうして一連の処理を終了する。
【００６４】
ここで、図１５には通知色設定画面を示し、説明する。
【００６５】
同図に示されるように、通知色設定画面１０６では、電話着信、メール、ＳＭＳ、各種ＳＮＳについて、それぞれの受信通知に係る色を設定することが可能である。また、出力装置３での発光による通知の可否を選択できるようになっている。さらに、サードパーティ製のアプリと連携することで、該当アプリの受信通知に係る色を設定することが可能であることは勿論である。
【００６６】
次に、図１６のフローチャートを参照して、通信システムによる置き忘れ防止に係る処理を説明する。
【００６７】
情報端末２においてプログラム２９が起動され（Ｓ６１）、これと並行して出力装置３側で電源が投入されると（Ｓ６２）、情報端末２は、例えばＢｌｕｅｔｏｏｔｈ(登録商標)接続のために、無線通信圏内にある全ての出力装置３を探索し（Ｓ６３）、ペアリングにより無線通信コネクションが確立される（Ｓ６４）。尚、不図示であるが、このとき、予め複数の出力装置３との間の同時通信に係る設定がなされている場合には、複数の出力装置３との間で無線通信コネクションが確立されることになる。
【００６８】
続いて、情報端末２において、通信コネクションが解除されると（Ｓ６５をＹｅｓ）、携帯端末２において音声出力をし（Ｓ６６）、位置情報管理部２１ｇが、そのタイミングでの情報端末の位置情報を取得し記憶部２８に記憶する（Ｓ６７）。こうして一連の処理を終了する。この位置情報は、後に表示部２４に表示して確認することができるので、通信コネクションが解除された地点、つまり置き忘れをした場所を確認することができる。
【００６９】
ここで、図１７には確認画面を示し説明する。
【００７０】
同図に示されるように、地図上に通信コネクションが解除された地点が表示されるので置き忘れをした可能性のある場所を確認できる。
【００７１】
また、図１８は複数の出力装置３の同時制御のための設定画面を示している。ユーザが予め複数の出力装置３を種々の態様で保持している場合（例えば、アクセサリ、服飾品及びインテリア用品等）、それらのうち制御対象とする出力装置３を画面１０８等において設定することができる。尚、図１９は、出力装置３をアクセサリとして実現する場合のデザイン例を示している。図１９（ａ）は側面図、図１９（ｂ）は平面図であり、内部の発光部からの光が筐体を透過して、あるいはスリットから散乱して、美しい輝きをもたらすように構成されている。
【００７２】
以上、本発明の一実施形態について説明したが、本発明はこれに限定されることなくその趣旨を逸脱しない範囲で種々の改良・変更が可能であることは勿論である。
【００７３】
例えば、出力装置と通信自在な情報端末により実行されるプログラムにおいて、情報端末が、出力装置の発光部による発光条件を設定する発光条件設定部と、出力装置の前記発光部による発光を指示する発光指示部と、として機能し、発光条件設定部により設定された発光条件に基づき、出力装置の発光部により発光を行うように制御し、楽曲が再生されると、楽曲におけるＢＰＭ値を分析し、分析結果に基づいて発光パターンを生成し、発光パターンに基づいて発光条件を設定することを特徴とするプログラムとしての実施も可能である。また、このようなプログラムをコンピュータにより読み取り可能に記録した記録媒体としての実施も可能である。
【００７４】
また、本発明の一実施形態に係る出力装置は、飲食店や舞台等の演出にも適用可能である。さらには、ＤＩＹ、ハンドメイドに係る各種製品にも適用可能である。
【符号の説明】
【００７５】
１…サーバ装置、２…携帯端末、３…出力装置、４…ネットワーク、１１…制御部、１１ａ…主制御部、１１ｂ…認証部、１１ｃ…画面生成部、１１ｄ…ユーザ管理部、１１ｅ…楽曲管理部、１２…通信部、１３…記憶部、１４…楽曲ＤＢ、１５…ユーザＤＢ、１６…プログラム、２１…制御部、２１ａ…主制御部、２１ｂ…楽曲再生制御部、２１ｃ…ＢＰＭ値分析部、２１ｄ…発光パターン生成部、２１ｅ…発光条件設定部、２１ｆ…発光指示部、２１ｇ…位置情報管理部、２１ｈ…表示制御部、２２…通信部、２３…操作部、２４…表示部、２５…タッチパネル、２６…音声出力部、２７…記憶部、３１…制御部、３１ａ…発光制御部、３１ｂ…色相調整部、３１ｃ…音声出力制御部、３１ｄ…動き検出部、３１ｅ…主制御部、３２…通信部、３３…発光部、３４…音声出力部、３５…加速度センサ、３６…入力部、３７…充電制御部、３８…充電池、３９…記憶部、４０…集音部。
【図１】
2017228859.tif 000003
【図２】
2017228859.tif 000004
【図３】
2017228859.tif 000005
【図４】
2017228859.tif 000006
【図５】
2017228859.tif 000007
【図６】
2017228859.tif 000008
【図７】
2017228859.tif 000009
【図８】
2017228859.tif 000010
【図９】
2017228859.tif 000011
【図１０】
2017228859.tif 000012
【図１１】
2017228859.tif 000013
【図１２】
2017228859.tif 000014
【図１３】
2017228859.tif 000015
【図１４】
2017228859.tif 000016
【図１５】
2017228859.tif 000017
【図１６】
2017228859.tif 000018
【図１７】
2017228859.tif 000019
【図１８】
2017228859.tif 000020
【図１９】
2017228859.tif 000021
【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
出力装置と情報端末とが通信自在に接続された通信システムにおいて、
前記出力装置は、
発光部と、
前記発光部の発光を制御する発光制御部と、
前記情報端末と通信する第１通信部と、を備え、
前記情報端末は、
前記出力装置と通信する第２通信部と、
楽曲を再生する楽曲再生制御部と、
前記楽曲における音拍を分析するＢＰＭ値分析部と、
前記ＢＰＭ値分析部による音拍の分析結果に基づいて発光パターンを生成する発光パターン生成部と、
前記出力装置の前記発光部による発光色及び明るさを含む発光条件を設定する発光条件設定部と、
前記出力装置の前記発光部による発光を指示する発光指示部と、を備え、
前記情報端末では、前記発光指示部が、前記楽曲が再生されていないときには、前記発光条件設定部により設定された前記発光条件に基づく発光を指示し、楽曲が再生されているときには、前記発光条件設定部により設定された発光条件及び前記発光パターン生成部により生成された発光パターンに基づく発光を指示し、
前記出力装置では、前記発光制御部が、前記発光パターンに基づいて前記発光部の発光のオン／オフの繰り返しタイミングを制御し、前記発光条件に基づいて前記発光部の発光の発光色及び明るさを制御し、前記出力装置の発光部により発光を行う
通信システム。
【請求項２】
前記出力装置は、
動きを検出する動き検出部を更に備え、
前記第１通信部は、前記動き検出部による検出結果を前記情報端末に送信し、
前記情報端末では、前記発光条件設定部が前記検出結果に基づいて発光条件を設定する
請求項１に記載の通信システム。
【請求項３】
前記情報端末では、
前記発光指示部が、少なくとも電子メールの受信、ＳＮＳの掲載記事の更新のタイミングで前記出力装置に対して発光指示をなす
請求項１に記載の通信システム。
【請求項４】
前記情報端末は、
位置情報を取得し管理する位置情報管理部を更に備え、
前記位置情報管理部は、前記出力装置との通信コネクションの解除がなされたタイミングで位置情報を取得し管理する
請求項１に記載の通信システム。
【請求項５】
前記出力装置は、アクセサリ、インテリア用品、服飾品、ＤＩＹ用品、ハンドメイド製品のいずれかである請求項１乃至請求項４のいずれか１項に記載の通信システム。
【請求項６】
発光部と発光制御部を備えた出力装置と情報端末とが通信自在に接続された通信システムによる出力制御方法であって、
前記情報端末において、
前記出力装置と通信するステップと、
楽曲を再生するステップと、
前記楽曲における音拍を分析するステップと、
前記分析の結果に基づいて発光パターンを生成するステップと、
前記出力装置の前記発光部による発光色及び明るさを含む発光条件を設定するステップと、
前記楽曲が再生されていないときには、設定された前記発光条件に基づく発光を指示し、楽曲が再生されているときには、設定された発光条件及び生成された発光パターンに基づく発光を指示するステップと、
前記出力装置において、
前記発光パターンに基づいて前記発光部の発光のオン／オフの繰り返しタイミングを制御し、前記発光条件に基づいて前記発光部の発光の発光色及び明るさを制御し、前記発光部により発光を行うステップと、を有する
出力制御方法。
【請求項７】
発光部と発光制御部とを備えた出力装置と情報端末とが通信自在に接続された通信システムにおいて、情報端末により実行されるプログラムであって、
前記情報端末を、
楽曲を再生する楽曲再生制御部と、
前記楽曲における音拍を分析するＢＰＭ値分析部と、
前記ＢＰＭ値分析部による音拍の分析結果に基づいて発光パターンを生成する発光パターン生成部と、
前記出力装置の前記発光部による発光色及び明るさを含む発光条件を設定する発光条件設定部と、
前記出力装置の前記発光部による発光を指示する発光指示部として機能させ、
前記発光指示部が、前記楽曲が再生されていないときには、前記発光条件設定部により設定された前記発光条件に基づく発光を指示し、楽曲が再生されているときには、前記発光条件設定部により設定された発光条件及び前記発光パターン生成部により生成された発光パターンに基づく発光を指示するための
プログラム。
【手続補正３】
【補正対象書類名】明細書
【補正対象項目名】０００１
【補正方法】変更
【補正の内容】
【０００１】
本発明は、発光や音声出力等を行う出力装置等に係り、特に遠隔制御により発光や音声出力等を制御可能な通信システム、出力制御方法、プログラムに関する。
【手続補正４】
【補正対象書類名】明細書
【補正対象項目名】０００８
【補正方法】変更
【補正の内容】
【０００８】
本発明は、このような課題に鑑みてなされたものであり、携帯端末との通信により発光や音声出力等が制御可能な通信システム、出力制御方法、プログラムを提供することを目的とする。
【手続補正５】
【補正対象書類名】明細書
【補正対象項目名】０００９
【補正方法】変更
【補正の内容】
【０００９】
上記課題を解決するために、本発明の第１の多様に係る通信システムは、出力装置と情報端末とが通信自在に接続された通信システムにおいて、前記出力装置は、発光部と、前記発光部の発光を制御する発光制御部と、前記情報端末と通信する第１通信部と、を備え、前記情報端末は、前記出力装置と通信する第２通信部と、楽曲を再生する楽曲再生制御部と、前記楽曲における音拍を分析するＢＰＭ値分析部と、前記ＢＰＭ値分析部による音拍の分析結果に基づいて発光パターンを生成する発光パターン生成部と、前記出力装置の前記発光部による発光色及び明るさを含む発光条件を設定する発光条件設定部と、前記出力装置の前記発光部による発光を指示する発光指示部と、を備え、前記情報端末では、前記発光指示部が、前記楽曲が再生されていないときには、前記発光条件設定部により設定された前記発光条件に基づく発光を指示し、楽曲が再生されているときには、前記発光条件設定部により設定された発光条件及び前記発光パターン生成部により生成された発光パターンに基づく発光を指示し、前記出力装置では、前記発光制御部が、前記発光パターンに基づいて前記発光部の発光のオン／オフの繰り返しタイミングを制御し、前記発光条件に基づいて前記発光部の発光の発光色及び明るさを制御し、前記出力装置の発光部により発光を行う。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
本発明の第２の態様に係る通信システムは、第１の態様において、前記出力装置は、動きを検出する動き検出部を更に備え、前記第１通信部は、前記動き検出部による検出結果を前記情報端末に送信し、前記情報端末では、前記発光条件設定部が前記検出結果に基づいて発光条件を設定する。
【手続補正９】
【補正対象書類名】明細書
【補正対象項目名】００１３
【補正方法】変更
【補正の内容】
【００１３】
本発明の第３の態様に係る通信システムは、第１の態様において、前記情報端末では、前記発光指示部が、少なくとも電子メールの受信、ＳＮＳの掲載記事の更新のタイミングで前記出力装置に対して発光指示をなす。
【手続補正１０】
【補正対象書類名】明細書
【補正対象項目名】００１４
【補正方法】変更
【補正の内容】
【００１４】
本発明の第４の態様に係る通信システムは、第１の態様において、前記情報端末は、位置情報を取得し管理する位置情報管理部を更に備え、前記位置情報管理部は、前記出力装置との通信コネクションの解除がなされたタイミングで位置情報を取得し管理する。
【手続補正１１】
【補正対象書類名】明細書
【補正対象項目名】００１５
【補正方法】変更
【補正の内容】
【００１５】
本発明の第５の態様に係る通信システムは、第１乃至第４の態様において、前記出力装置は、アクセサリ、インテリア用品、服飾品、ＤＩＹ用品、ハンドメイド製品のいずれかである。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
本発明の第６の態様に係る出力制御方法は、発光部と発光制御部を備えた出力装置と情報端末とが通信自在に接続された通信システムによる出力制御方法であって、前記情報端末において、前記出力装置と通信するステップと、楽曲を再生するステップと、前記楽曲における音拍を分析するステップと、前記分析の結果に基づいて発光パターンを生成するステップと、前記出力装置の前記発光部による発光色及び明るさを含む発光条件を設定するステップと、前記楽曲が再生されていないときには、設定された前記発光条件に基づく発光を指示し、楽曲が再生されているときには、設定された発光条件及び生成された発光パターンに基づく発光を指示するステップと、前記出力装置において、前記発光パターンに基づいて前記発光部の発光のオン／オフの繰り返しタイミングを制御し、前記発光条件に基づいて前記発光部の発光の発光色及び明るさを制御し、前記発光部により発光を行うステップと、を有する。
【手続補正１４】
【補正対象書類名】明細書
【補正対象項目名】００１８
【補正方法】変更
【補正の内容】
【００１８】
本発明の第７の態様に係るプログラムは、発光部と発光制御部とを備えた出力装置と情報端末とが通信自在に接続された通信システムにおいて、情報端末により実行されるプログラムであって、前記情報端末を、楽曲を再生する楽曲再生制御部と、前記楽曲における音拍を分析するＢＰＭ値分析部と、前記ＢＰＭ値分析部による音拍の分析結果に基づいて発光パターンを生成する発光パターン生成部と、前記出力装置の前記発光部による発光色及び明るさを含む発光条件を設定する発光条件設定部と、前記出力装置の前記発光部による発光を指示する発光指示部として機能させ、前記発光指示部が、前記楽曲が再生されていないときには、前記発光条件設定部により設定された前記発光条件に基づく発光を指示し、楽曲が再生されているときには、前記発光条件設定部により設定された発光条件及び前記発光パターン生成部により生成された発光パターンに基づく発光を指示する。
【手続補正１５】
【補正対象書類名】明細書
【補正対象項目名】００１９
【補正方法】変更
【補正の内容】
【００１９】
本発明によれば、携帯端末等との通信により、発光や音声出力等の内容を制御可能な通信システム、出力制御方法、プログラムを提供することができる。
【手続補正１６】
【補正対象書類名】明細書
【補正対象項目名】００２０
【補正方法】変更
【補正の内容】
【００２０】
更に、本発明によれば、携帯端末等との通信により、携行品を置き忘れた場所を地図上等で確認可能にする通信システム、出力制御方法、プログラムを提供することができる。
【手続補正１７】
【補正対象書類名】明細書
【補正対象項目名】００２１
【補正方法】変更
【補正の内容】
【００２１】
そして、本発明によれば、携帯端末等との通信により、ユーザの動きに合わせて発光や音声出力等により演出が変更可能な通信システム、出力制御方法、プログラムを提供することができる。